(57)【要約】本発明の１つの実施形態は、ベース、長手方向部材、およびバックルを含む解放可能な連結システムに関する。長手方向部材は、長手方向の寸法に平行であり、長手方向の寸法に対して略中間にあるベースに固定可能に連結される。バックルは、平面、および互いに反対に方向付けられた平面から伸びる第１および第２のホックで留められた領域を含む。第１および第２のホックで留められた領域および平面は、長手方向部材の幅方向の寸法およびベース隆起の寸法に対応する部分的に囲まれた領域を定義する。部分的に囲まれた領域における間隙は、長手方向部材とベースとの間の連結に対応する。【選択図】図１
2014511216.tif 000002
【特許請求の範囲】
【請求項１】
解放可能な連結システムであって、該システムは、
ベース、
幅方向の寸法、長手方向の寸法、およびベース隆起の寸法を有するベースに連結された長手方向部材を含み、ここで、長手方向部材とベースとの間の連結は、長手方向の寸法に平行である且つ幅方向の寸法に対して略中間にある、固定された長手方向の連結部を含み、該システムはさらに、
上部および底部を有する平面と、互いに反対に配向された平面から伸びる第１および第２のホックで留められた領域とを含む、バックルを含み、
ここで、第１および第２のホックで留められた領域および平面は、長手方向部材の幅方向の寸法およびベース隆起の寸法に対応する部分的に囲まれた領域を定義することを特徴とする、解放可能な連結システム。
【請求項２】
第１および第２のホックで留められた領域は、平面の底部平面から直交して伸び、ここで平面は、長手方向部材の幅方向の寸法に対応する幅を含むことを特徴とする、請求項１に記載のシステム。
【請求項３】
長手方向部材は、剛性部材および柔軟性部材を含み、ここで柔軟性部材は、剛性部材に巻き付けられ、連結されることを特徴とする、請求項１に記載のシステム。
【請求項４】
長手方向部材とベースとの間の連結は、柔軟性部材と剛性部材の両方を通って伸びるステッチを含むことを特徴とする、請求項３に記載のシステム。
【請求項５】
柔軟性部材と剛性部材との間の連結は、柔軟性部材と剛性部材を通ってのみ伸びる少なくとも１つの第２のステッチを含むことを特徴とする、請求項３に記載のシステム。
【請求項６】
長手方向部材とベースとの間の連結は、ステッチを含み、ここでステッチの長さは、長手方向部材の長手方向の寸法未満であることを特徴とする、請求項１に記載のシステム。
【請求項７】
バックルは、互いに反対に配向された平面から伸びる第３および第４のホックで留められた領域をさらに含むことを特徴とする、請求項１に記載のシステム。
【請求項８】
ベースおよび長手方向部材は、Ｉ字型の領域を形成し、ここでＩ字型の領域の上部は、長手方向部材の底部を含み、Ｉ字型の領域の中央部は、長手方向部材とベースとの間の連結部を含み、およびＩ字型の領域の底部は、ベースを含むことを特徴とする、請求項１に記載のシステム。
【請求項９】
第１および第２のホックで留める領域は、長手方向部材の長手方向の寸法およびベース隆起の寸法に対応する、第２の部分的に囲まれた領域をさらに定義することを特徴とする、請求項１に記載のシステム。
【請求項１０】
第１および第２のホックで留められた領域は、長手方向部材とベースとの間の連結に対応する間隙を形成することを特徴とする、請求項１に記載のシステム。
【請求項１１】
バックルの平面は、一連の２つの平行な凹部を含むことを特徴とする、請求項１に記載のシステム。
【請求項１２】
解放可能な連結システムであって、該システムは、
ベース、
長手方向の寸法、幅方向の寸法、およびベース隆起の寸法を有するベースに外側に連結された長手方向部材を含み、ここで、長手方向部材とベースとの間の連結は、長手方向の寸法に平行である且つ幅方向の寸法に対して略中間にある、固定された長手方向の連結部を含み、該システムはさらに、
上部および底部を有する平面と、互いに反対に配向された平面から伸びる第１および第２のホックで留められた領域とを含む、バックルを含み、
ここで、第１および第２のホックで留められた領域および平面は、長手方向部材の幅方向の寸法およびベース隆起の寸法に対応する部分的に囲まれた領域を定義し、部分的に囲まれた領域は、長手方向部材とベースとの間の連結に対応する間隙を含むことを特徴とする、解放可能な連結システム。
【請求項１３】
バックルをベースに解放可能に連結する方法であって、該方法は、
ベース、長手方向部材、およびバックルを提供する工程、
長手方向部材の長手方向の寸法に平行であり、長手方向部材の幅方向の寸法に対して略中間にある固定された長手方向の連結部を介して、長手方向部材をベースに連結する工程、
バックルを、長手方向部材の長手方向および幅方向の寸法と合わせる工程、 
およびバックルを、長手方向部材を実質的に包囲する長手方向部材上にホックで留め、長手方向部材とベースとの間の連結に対応する間隙を形成する工程、を含むことを特徴とする方法
【請求項１４】
バックルを長手方向部材の長手方向側に隣接して位置付ける工程をさらに含むことを特徴とする、請求項１３に記載の方法。
【請求項１５】
長手方向部材の長手方向の寸法に平行であり、長手方向部材の幅方向の寸法に対して略中間にある固定された長手方向の連結部を介して、長手方向部材をベースに連結する工程は、Ｉ字型の領域を形成する工程をさらに含み、ここで、Ｉ字型の領域の上部は、長手方向部材の底部を含み、Ｉ字型の領域の中央部は、長手方向部材とベースとの間の連結部を含み、Ｉ字型の領域の底部は、ベースを含むことを特徴とする、請求項１３に記載の方法。
【請求項１６】
バックルを、長手方向部材を実質的に包囲する長手方向部材上にホックで留め、長手方向部材とベースとの間の連結に対応する間隙を形成する工程は、長手方向部材の幅方向の寸法の各端部のまわりのバックル上に２つのホックで留める領域の各々をホックで留める工程をさらに含むことを特徴とする、請求項１３に記載の方法。
【請求項１７】
長手方向部材の長手方向の寸法に沿ってバックルを並進させる工程をさらに含むことを特徴とする、請求項１３に記載の方法。
【請求項１８】
幅方向の配向に平行に配向されたバックル上の２つの平行な凹部にストラップを通す工程をさらに含むことを特徴とする、請求項１３に記載の方法。
【請求項１９】
長手方向部材は、剛性部材および柔軟性部材をさらに含み、ここで、柔軟性部材は、剛性部材に長手方向に巻き付けられ、連結されることを特徴とする、請求項１３に記載の方法。
【請求項２０】
バックルは、平面と、長手方向部材の幅方向の寸法に対応する部分的に囲まれた領域を一緒に形成する２つのホックで留められた領域とをさらに含むことを特徴とする、請求項１３に記載の方法。
【発明の詳細な説明】
【技術分野】
【０００１】
本発明は、一般に、改良型連結システムに関する。特に、本発明は、解放可能なモジュールの連結システムおよび操作の方法に関する。
【背景技術】
【０００２】
連結システムは部材／構成要素を互いに取り付ける。１つのタイプの連結システムは、ユーザーが部材を互いに繰り返し連結するか又は互いから切り離すことを可能にする解放可能な連結システムである。例えば、従来の自動車のシートベルトは、乗客を特定の席に固定するために使用され得る解放可能な連結システムである。同様に、ベルトは、ズボンをユーザーのウエストのまわりで固定するための解放可能な連結システムである。解放可能な連結システムは、一緒に連結される複数の構成要素を含む。自動車のシートベルトは、少なくとも２つのストラップおよび２つの相互連結するバックルを含む。同様に、ベルトはストラップおよびバックルを含む。
【０００３】
解放可能な連結システムは、様々な用途に使用されてもよく、その各々は、最適な性能特性の階層（ｈｉｅｒａｒｃｈｙ）に対応する。例えば、アウトドアバックパック上の解放可能な連結システムは、最適な性能のために高耐久性および低重量の両方を必要とする。対照的に、トラック上にペイロードを固定するために使用される解放可能な連結システムは、高耐久性および高い力の耐性（ｈｉｇｈ ｆｏｒｃｅ ｔｏｌｅｒａｎｃｅ）を必要とする。さらなる性能の要因は、製造コスト、外観、直観的な操作などを含む。それ故、特定の解放可能な連結システムの性能特性は、特定の用途に多かれ少なかれ最適であり得る。例えば、ＶＥＬＣＲＯのスナップロック解放可能な連結は、ポケットフラップ閉鎖システムを含む多くの軽量の用途に有用である。しかしながら、カムバックルは、その相対的な重量および力の耐性のために、より重い重量の用途により適切である。
【０００４】
従来の解放可能な連結システムは、モジュールの柔軟で優れた解放可能な連結システムとして使用するための最適な性能特性を提供することができない。モジュールの解放可能な連結システムは、解放可能な連結システムのための性能特性に加えて、様々な構成要素の効果的な相互連結を促進する解放可能な連結システムとしてさらに定義される。例えば、軍用のＭＯＬＬＥ（モジュールの軽量貨物運搬装置）は、様々な構成要素のベース部材への解放可能な連結を促進する複数のＰＡＬ（ポーチを付けた梯子（ｐｏｕｃｈ ａｔｔａｃｈ ｌａｄｄｅｒ））のストラップを含む。システムは、選択的な相互連結する機構を促進し、特定機能に順応するために、主としてベストおよび相当する構成要素などの軍用の上着上で使用される。不運にも、ＭＯＬＬＥシステムを含む従来のモジュールの解放可能な連結システムは、小売りでの用途のための性能特性を最適化しない。例えば、ＭＯＬＬＥシステムは、構成要素を相互連結するための多数の魅力的でない水平のストラップを必要とする。さらに、ＭＯＬＬＥシステムおよび他のモジュールシステムは、直観的でない複雑な連結方法を必要とする。さらに、ほとんどの既存のモジュールの連結システムは、構成要素を選択的に連結する及び／又はそれに間隔をつけるのに有用であり得る、バックルを含まない。それ故、産業においてシステム構成要素を含む、改良型連結システムおよび操作の直観的な方法が必要とされている。
【発明の概要】
【課題を解決するための手段】
【０００５】
本発明は、改良型連結システムに関する。本発明の１つの実施形態は、ベース、長手方向部材、およびバックルを含む、解放可能な連結システムに関する。長手方向部材は、長手方向の寸法に平行であり、幅方向の寸法に対して略中間にある（ｍｅｄｉａｌ）ベースに固定可能に連結される。バックルは，平面、および互いに反対に方向付けられた平面から伸びる第１および第２のホックで留められた領域（ｈｏｏｋｅｄ ｒｅｇｉｏｎ）を含む。第１および第２のホックで留められた領域および平面は、長手方向部材の幅方向の寸法およびベース隆起の寸法（ｂａｓｅ ｒｉｓｅ ｄｉｍｅｎｓｉｏｎ）に対応する部分的に囲まれた領域を定義する。部分的に囲まれた領域における間隙は、長手方向部材とベースとの間の連結に対応する。本発明の第２実施形態は、バックルをベースに解放可能に連結する方法に関し、該方法は、ベース、長手方向部材、およびバックルを提供する工程、長手方向部材をベースに連結する工程、バックルを、長手方向部材の長手方向および幅方向の寸法と合わせる工程、およびバックルを、長手方向部材を実質的に包囲する長手方向部材上にホックで留める工程であって、長手方向部材とベースとの間の連結に対応する間隙を形成する工程、を含む。
【０００６】
本発明の実施形態は、解放可能な連結システムの分野における著しい発展を表わす。従来の解放可能な連結システムは、限定されないが、モジュラリティー、直観的な操作、最大の耐久性、および最小重量を含む、本発明の性能特性をすべて提供することができない。具体的には、本発明の実施形態は、バックルをベースに連結するために使用され得る。ベースは、衣服、運搬装置、または耐荷重ストラップ（ｌｏａｄ ｂｅａｒｉｎｇ ｓｔｒａｐ）などの、柔軟な優れた部材でもよい。システムは、ポケットまたはポーチの解放可能な閉鎖などの、個別の位置の解放可能な連結に使用されてもよい。システムはまた、複数の解放可能な連結位置を促進するために、モジュールの連結システムとして使用されてもよい。多くの解放可能な連結システム（すなわちＶＥＬＣＲＯ、スナップロックなど）とは対照的に、本発明の実施形態は、偶発的な圧縮力及び／又は砕片の蓄積（ｄｅｂｒｉｓ ａｃｃｕｍｕｌａｔｉｏｎ）に耐性のある耐久性の解放可能な連結を提供する。さらに、本発明の構成要素は、効率的に製造されることができる。
【０００７】
本発明のこれらおよび他の特徴および利点は、続く説明および添付の請求項において明記され、より十分に明らかとなるであろう。特徴および利点は、添付の請求項で特に指摘される、器具および組み合わせによって実現され、得られ得る。さらに、以下に明記されるように、本発明の特徴および利点は、本発明の実施によって習得され得るか、もしくは説明から明白となるであろう。
【図面の簡単な説明】
【０００８】
本発明の以下の説明は、図を考慮して理解され得、図は、本発明の具体的な態様を例示し、本明細書の一部分である。以下の説明と共に、図は、本発明の原理を実証し説明する。図において、物理的な寸法は、明確さのために誇張され得る。異なる図面中の同じ参照番号は同じ要素を表わし、したがって、それらの説明は省略されるであろう。
【０００９】
【図１】図１は、本発明の実施形態に従う、引き離された構成における解放可能な連結システムの斜視図を示す。
【図２】図２は、部分的に連結した構成における図１の解放可能な連結システムの斜視図を示す。
【図３】図３は、連結した構成における図１の解放可能な連結システムの斜視図を示す。
【図４】図４は、図１の解放可能な連結システムの長手方向部材およびベース構成要素の斜視図を示す。
【図５】図５は、図１の解放可能な連結システムのバックルの斜視図を示す。
【図６】図６は、図１の解放可能な連結システムのバックルの第２の斜視図を示す。
【図７】図７は、本発明の実施形態に従う、代替的なバックルの斜視図を示す。
【図８】図８は、本発明の実施形態に従う、第２の代替的なバックルの斜視図を示す。
【図９】図９は、本発明の実施形態に従う、図７の代替的なバックルを含む代替的な解放可能な連結システムの斜視図を示す。
【図１０】図１０は、本発明の実施形態に従う、代替的な解放可能な連結システムの斜視図を示す。
【図１１】図１１は、図５−６のバックルを含む、図１０に例示される解放可能な連結システムの構成要素の裏返しにした斜視図を示す。
【図１２】図１２は、本発明の実施形態に従う、代替的なバックルの斜視図を示す。
【発明を実施するための形態】
【００１０】
本発明は、改良型連結システムに関する。本発明の１つの実施形態は、ベース、長手方向部材、およびバックルを含む解放可能な連結システムに関する。長手方向部材は、長手方向の寸法に平行であり、幅方向の寸法に対して略中間にあるベースに固定可能に連結される。バックルは，平面、および互いに反対に方向付けられた平面から伸びる第１および第２のホックで留められた領域を含む。第１および第２のホックで留められた領域および平面は、長手方向部材の幅方向の寸法およびベース隆起の寸法に対応する部分的に囲まれた領域を定義する。部分的に囲まれた領域における間隙は、長手方向部材とベースとの間の連結に対応する。本発明の第２実施形態は、バックルをベースに解放可能に連結する方法に関し、該方法は、ベース、長手方向部材、およびバックルを提供する工程、長手方向部材をベースに連結する工程、バックルを、長手方向部材の長手方向および幅方向の寸法と合わせる工程、およびバックルを、長手方向部材を実質的に包囲する長手方向部材上にホックで留める工程であって、長手方向部材とベースとの間の連結に対応する間隙を形成する工程、を含む。また、実施形態は、柔軟で優れたベースの解放可能な連結システムに関して記載されているが、当然のことながら、本発明の教示は、他の領域に適用可能である。
【００１１】
最初に、一般に（１００）で明示される解放可能な連結システムの斜視図を例示する、図１−３が参照される。システム（１００）は、ベース（１１０）、長手方向部材（１２０）、およびバックル（１６０）を含む。バックル（１６０）は、長手方向部材（１２０）上で連結方法によってベース（１１０）に解放可能に連結され得る。図２−３に示されるように、連結方法は、長手方向部材（１２０）上にバックル（１６０）をホックで留める工程を含む。連結方法によって、バックル（１６０）は、解放可能な連結を維持しながら長手方向部材（１２０）に沿って並進する（ｔｒａｎｓｌａｔｅ）ことができる。連結方法および対応する構成要素の構造は，より詳細に以下に記載される。ベース（１１０）は、長手方向部材（１２０）が連結される任意の表面であってもよい。それ故、解放可能な連結システムは、種々様々な連結の用途に使用されてもよい。例示されるベース（１１０）は、衣服、バックパック、またはストラップの外表面などの、織物材料を含む柔軟で優れた表面である。ベース（１１０）はさらに、ベースフラップ（１０２）およびベース底部（１０４）を含む。ベースフラップ（１０２）は、ベース底部（１０４）に重なる。
【００１２】
長手方向部材（１２０）の１つの実施形態に関する詳細を例示するために、図１−３に加えて図４が参照される。長手方向部材（１２０）は、下記に記載される方法でベース（１１０）に連結された任意の細長い構造であってもよい。長手方向部材（１２０）は、長手方向の寸法（１４０）、幅方向の寸法（１４２）、およびベース隆起の寸法（１４４）を含む。当然のことながら、長手方向の寸法（１４０）は、幅方向の寸法（１４２）およびベース隆起の寸法（１４４）それぞれに対して、必ずしも最長の寸法でなくてもよい。長手方向部材（１２０）は、ベース連結部（ｃｏｕｐｌｉｎｇ）（１２６）を介してベース（１１０）に連結される。ベース連結部（１２６）は、長手方向の寸法（１４０）と平行に且つ幅方向の寸法（１４２）にわたって略中間に配向される。ベース連結部（１２６）の位置決めは、長手方向部材（１２０）とベース（１１０）との間でＩ字型（幅方向の寸法（１４２）対ベース隆起の寸法（１４４））をもたらす。Ｉ字型の水平方向の頂部領域は、長手方向部材の幅方向の寸法（１４２）によって形成される。Ｉ字型の垂直方向の中央領域は、ベース連結部（１２６）によって形成される。Ｉ字型の底部の水平方向領域は、長手方向部材（１２０）の直下のベース（１１０）の領域によって形成される。例示される長手方向部材（１２０）は、柔軟性部材（１２２）および剛性部材（１２４）を含む。当然のことながら、剛性部材（１２４）は、高強度の用途に使用され得る随意の構成要素である。柔軟性部材（１２２）は、ナイロンなどの柔軟性材料から作られ、剛性部材（１２４）は、ゴムまたはプラスチック複合材などの略剛性の材料から作られ得る。柔軟性部材（１２２）は、長手方向の構成において、剛性部材（１２４）に巻き付けられ、連結される。柔軟性部材（１２２）の具体的な巻き付ける且つ連結する構成は、連結した構成において長手方向部材（１２０）に対してバックル（１６０）の操作上の並進を妨げる、長手方向部材（１２０）の長手方向側の１つに停止部（１３０）および（１３２）（図４を参照）を含み得る。柔軟性部材（１２２）および剛性部材（１２４）との間の連結は、少なくとも１つの柔軟で剛性な連結部（１２８）を含む。柔軟で剛性な連結部（１２８）は、長手方向の寸法（１４０）と平行に且つ幅方向の寸法（１４２）に対してベース連結部（１２６）の横に配向される。柔軟で剛性な連結部（１２８）は、柔軟性部材（１２２）と剛性部材（１２４）のみを通って伸び、ベース（１１０）には伸びない。
【００１３】
バックル（１６０）の１つの実施形態に関する詳細を示すために、図１−３に加えて図５および６が参照される。例示されるバックル（１６０）は、平面（１６２）、および第１および第２のホックで留める領域（１６４）、（１６６）を含む、三次元の剛性構造である。第１および第２のホックで留める領域（１６４）および（１６６）は、平面（１６２）から伸びて、互いに反対に方向付けられる。ホックで留める領域（１６４）および（１６６）は、図１−３に示されるように、平面（１６２）から直交して伸び得るか、または図７に例示される代替的なバックルの実施形態で例示されるように、平面から平行に伸び得る。第１および第２のホックで留める領域（１６４）および（１６６）は、各々、Ｌ字型を形成するように、２つの直交したサブ領域を含む。ホックで留める領域（１６４）および（１６６）のＬ字型のサブ領域は、Ｌ字型の領域が互いに面しているように、互いに反対に配向される。間隙（１８０）は、ホックで留める領域（１６４）および（１６６）の各々の端部間で形成される。間隙（１８０）の大きさは、長手方向部材（１２０）に対してバックル（１６０）の並進を促進するために、長手方向部材のベース連結部（１２６）の幅に対応するように特別に合わせられる。さらに、ホックで留める領域（１６４）、（１６６）は、平面（１６２）の幅方向の寸法内に配されるように配向される。ホックで留める領域（１６４）、（１６６）および平面（１６２）は、部分的に囲まれた領域（１８５）を定義する。部分的に囲まれた領域（１８５）は、上に記載された間隙（１８０）を除いて囲まれる。部分的に囲まれた領域（１８５）の大きさは、長手方向部材（１２０）に対してバックル（１６０）の並進を促進するために、長手方向部材（１２０）の幅方向の寸法（１４２）およびベース隆起の寸法（１４４）に対応するように特別に合わせられる。ホックで留める領域（１６４）、（１６６）は、曲がった外側凹部（１６５）、（１６７）をさらに含む。曲がった外側凹部（１６５）、（１６７）は、ユーザーが長手方向部材（１２０）に対してバックル（１６０）に必要な並進力を働かせることを可能にするために、ユーザーの親指／指を受け取るように構成される。長手方向部材（１２０）に対するバックル（１６０）の並進は、解放可能な連結の方法に関連してより詳細に以下に記載される。
【００１４】
バックル（１６０）はまた、バックル（１６０）の長手方向の寸法に垂直に配向された、一連の平行な凹部（１７１）、（１７３）を含み得る。平行な凹部（１７１）、（１７３）の配向は、長手方向の配向におけるストラップ（１７０）のバックル（１６０）への連結を促進する。あるいは、平行な凹部は、限定されないが、モジュールの部材、ストラップなどを含む他のタイプの対象をバックルに連結するために使用されてもよい。１つの代替的なバックル（１６０）を連結するスキームは、図１１に関連して記載される。バックル（１６０）はまた、第２の凹部（１７５）、（１７７）を含んでもよい。例示される第２の凹部（１７５）、（１７７）は、バックル（１６０）の長手方向の寸法に平行に配向される。第２の凹部（１７５）、（１７７）は、バックルの総重量を減少させるために、またはさらなる連結するオプションを提供するために使用されてもよい。当然のことながら、平行な凹部（１７１）、（１７３）および第２の凹部（１７５）、（１７７）は、異なる連結の配向を促進するために、バックル（１６０）に対して任意の方向に配向されてもよい。
【００１５】
システムの例示されていない１つの適用は、単純化された調整可能な固定システムを形成することである。ストラップの１つの端部は、バックルの平行な凹部（１７１）、（１７３）を通り得（ｒｏｕｔｅｄ）、それによってストラップをバックルに調節可能に連結する。ストラップの反対の端部は、長手方向部材（１２０）が固定可能に連結されるベース（１１０）として指定され得る。それ故、バックル（１６０）は、ストラップの２つの端部を一緒に解放可能に連結し得、平行な凹部（１７１）、（１７３）によって、ユーザーは、輪状の長さのストラップを調節することができるであろう。それ故、この適用は、アイテムをプラットフォーム上に固定するために使用され得、これは、ストラップをアイテムおよびプラットフォームのまわりを通るようにすることによって、およびその後ストラップを平行な凹部（１７１）、（１７３）を通って伸ばすことで輪状の長さのストラップを締めることによって行われる。
【００１６】
システム（１００）の第２の例示されていない適用は、多位置のモジュールの柔軟で優れたシステムを形成することである。例えば、衣服またはバックパックは、複数の長手方向部材（１２０）が上に記載された実施形態と一致しているベース（１１０）であり得る。その後、ユーザーは、バックル（１６０）を長手方向部材のいずれかに選択的に連結し得る。さらに、その後ユーザーは、特に柔軟で優れたアイテム上へのさらなる選択的な位置決めを促進するように、バックル（１６０）を長手方向部材に対して並進させることができるであろう。上下に記載されるように、バックル（１６０）は、様々な形態のアクセサリーに連結され得る。このタイプのモジュールシステムは、軍用のＭＯＬＬＥシステムの操作と類似しており、これによってユーザーは、様々なタイプのアクセサリーをベストに選択的に連結することができる。
【００１７】
操作中に、図１−３に例示されるシステム（１００）は、バックル（１６０）を、長手方向部材（１２０）を介してベース（１１０）に解放可能に連結し得る。図１は、システム（１００）の切り離された構成を示し、図２−３は、連結された構成を示す。バックル（１６０）は、長手方向部材の長手方向の端部の１つに隣接して合わせられ得る及び／又は位置付けられ得る。バックル（１６０）はまた、長手方向部材（１２０）の幅方向の寸法（１４２）と一列になるように合わせられる及び／又は位置決めされ得る。長手方向部材（１２０）に対するバックル（１６０）の位置決めは、部分的に囲まれた領域（１８５）と間隙（１８０）を、それぞれ、長手方向部材（１２０）の幅方向の寸法（１４２）とベース連結部（１２６）と合わせることである。その後、バックル（１６０）は、バックル（１６０）内で長手方向部材（１２０）に係合するように、長手方向の寸法（１４０）に平行に並進され得る。この係合は、長手方向部材（１２０）の幅方向の寸法（１４２）を、バックル（１６０）の部分的に囲まれた領域（１８５）内に通すことを含む。さらに、係合は、ベース連結部（１２６）を、バックル（１６０）の間隙（１８０）内に通すことを含む。したがって、バックルは、ベースの表面に略直交した分離力（ｓｅｐａｒａｔｉｏｎａｌ ｆｏｒｃｅ）に対してベース（１１０）に解放可能に連結される。しかしながら、係合は同時に、バックル（１６０）が、長手方向部材（１２０）の長手方向の寸法（１４０）とベース（１１０）の表面の両方に対して平行に長手方向部材に沿って並進することを可能にする。長手方向部材（１２０）の反対の長手方向の端部は、バックル（１６０）が係合した長手方向部材（１２０）の反対の端部を越えてバックル（１６０）が並進するのを防ぐ、停止部を含み得る。停止部は、柔軟性部材（１２２）において折り目（１３２）および図４に示されるような柔軟性部材（１２２）とベース（１１０）を通って伸びる停止連結部（１３４）を含み得る。あるいは、停止部は、折り目およびＶＥＬＣＲＯ連結などの表面の解放可能な連結の幾つかの形態を含み得る。バックル（１６０）は、ベース（１１０）から切り離され、バックル（１６０）が最初に長手方向部材（１２０）に係合された長手方向の端部上へとバックル（１６０）を長手方向に並進させ、戻すことによって、長手方向部材（１２０）から外される。それ故、この操作順序は、１以上のバックル（１６０）をベース（１１０）と選択的に連結し、モジュールシステムを形成するために使用され得る。
【００１８】
次に、（２６０）で一般に明示される、代替的なバックルの斜視図を例示する、図７が参照される。例示される代替的なバックル（２６０）は、図１−４に示される長手方向部材（１２０）とともに作用させるために構成され得るか又はその大きさを合わせられ得る。例示されるバックル（２６０）は、平面（２６２）およびホックで留める領域（２６４）、（２６６）の両方を含む単一の平面を含む。それ故、バックル（２６０）の製造は、上に記載されたバックル（１６０）の実施形態に関して単純化され得る。バックル（２６０）は、２つのホックで留める領域（２６４）、（２６６）と平行な平面（２６２）を含む。バックル（２６０）は、バックル（２６０）の長手方向の寸法に垂直に配向された２つの平行な凹部（２７１）、（２７３）を含む。第１および第２のホックで留める領域（２６４）、（２６６）は、各々、Ｌ字型を形成するように２つの直交したサブ領域を含む。ホックで留める領域（２６４）、（２６６）のＬ字型のサブ領域は、互いに面しているように、互いに反対に配向される。間隙（２８０）は、ホックで留める領域（２６４）、（２６６）の各々の端部間で形成される。間隙（２８０）の大きさは、長手方向部材（１２０）に対するバックル（２６０）の並進を促進するために、長手方向部材のベース連結部（１２６）の幅に対応するように特別に合わせられる。さらに、ホックで留める領域（２６４）、（２６６）は、平面（２６２）の幅方向の寸法内に配置されるように配向される。ホックで留める領域（２６４）、（２６６）および平面（２６２）は、部分的に囲まれた領域（２８５）を定義する。部分的に囲まれた領域（２８５）は、上に記載された間隙（１８０）を除いて囲まれる。部分的に囲まれた領域（２８５）の大きさは、長手方向部材（１２０）に対するバックル（１６０）の並進を促進するために、長手方向部材（１２０）の幅方向の寸法（１４２）およびベース隆起の寸法（１４４）に対応するように特別に合わせられる。
【００１９】
次に、（３６０）で一般に明示される、第２の代替的なバックルの斜視図を例示する、図８が参照される。例示される代替的なバックル（３６０）は、図１−４に示される長手方向部材（１２０）とともに作用させるために構成され得るか又はその大きさを合わせられ得る。例示されるバックル（３６０）は、バックル（３６０）をシートメタルによって製造するのに利点を有し得る、曲がったホックで留める領域（３６４）、（３６６）を組み込む。バックル（３６０）は、バックル（３６０）の長手方向の寸法に垂直に配向された２つの平行な凹部（３７１）、（３７３）を含む。第１および第２のホックで留める領域（３６４）、（３６６）は、各々、Ｃ字型を形成するように２つの直交したサブ領域を含む。ホックで留める領域（３６４）、（３６６）のＣ字型のサブ領域は、互いに面しているように、互いに反対に配向される。間隙（３８０）は、ホックで留める領域（３６４）、（３６６）の各々の端部間で形成される。間隙（３８０）の大きさは、長手方向部材のベース連結部（１２６）の幅に対応するように特別に合わせられ、長手方向部材（１２０）に対するバックル（３６０）の並進を促進する。さらに、ホックで留める領域（３６４）、（３６６）は、平面（３６２）の幅方向の寸法内に配されるように配向される。ホックで留める領域（３６４）、（３６６）および平面（３６２）は、部分的に囲まれた領域（３８５）を定義する。部分的に囲まれた領域（３８５）は、上に記載された間隙（３８０）を除いて囲まれる。部分的に囲まれた領域（３８５）の大きさは、長手方向部材（１２０）の幅方向の寸法（１４２）およびベース隆起の寸法（１４４）に対応するように特別に合わせられ、長手方向部材（１２０）に対するバックル（３６０）の並進を促進する。ホックで留める領域（３６４）、（３６６）は、曲がった外側凹部（３６５）、（３６７）をさらに含み得る。曲がった外側凹部（３６５）、（３６７）は、ユーザーが長手方向部材（１２０）に対してバックル（３６０）に必要な並進力を働かせることを可能にするために、ユーザーの親指／指を受け取るように構成される。
【００２０】
次に、一般に（４００）と明示される、代替的な解放可能な連結システムの斜視図を例示する、図９が参照される。システムは、ベース（４１０）、長手方向部材（４２０）、および一連のバックル（４６０）を含む。長手方向部材（４２０）は、ベース連結部（４２６）をさらに含む。長手方向部材（４２０）は、図１−４に関して上に記載された長手方向部材（１２０）の実施形態と類似している。バックル（４６０）は、アクセサリーポーチ（４９０）のいずれかの側面に連結される。アクセサリーポーチ（４９０）は、底部（４９２）およびフラップ（４９４）をさらに含む。アクセサリーポーチ（４９０）とバックル（４６０）との間の連結は、ストラップ部材をバックル（４６０）の平行な凹部に通すことを含む。当然のことながら、このタイプの連結スキームは、限定されないが、ポケット、スリーブ、ポーチを含む、様々なタイプのアクセサリー上で使用され得、それによって、モジュールシステムを形成する。例示されるバックル（４６０）は、平面がホックで留める領域（４６４）、（４６６）と平行であるように、図７に例示された実施形態と類似している。
【００２１】
長手方向部材（４２０）に解放可能に連結されるためのバックル（４６０）がさらに例示される。バックル（４６０）と長手方向部材（４２０）との間の解放可能な連結は、バックル（４６０）のホックで留める領域を長手方向部材（４２０）の幅方向の寸法のまわりに取り付けることを含む。バックル（４６０）と長手方向部材（４２０）の間の連結はまた、長手方向部材（４２０）に対するアクセサリーポーチ（４９０）の並進を促進する。バックル（４６０）およびアクセサリーポーチ（４９０）が長手方向部材（４２０）に連結される具体的な方法は、解放可能な連結のための方法に関する下記に述べられた工程を含み得る。
【００２２】
次に、（５００）で一般に明示される、代替的な解放可能な連結システムを例示する、図１０−１１が参照される。システム（５００）は、ベース（５１０）、長手方向部材（５２０）、およびバックル（５６０）（図１１のみ）を含む。長手方向部材（５２０）は、柔軟性部材（５２２）および剛性部材（５２４）をさらに含む。長手方向部材（４２０）は、図１−４に関して上に記載された長手方向部材（１２０）の実施形態と類似している。バックル（５６０）は、表面（５９２）、ストラップ（５９４）および開口部（５９８）をさらに含む、アクセサリーポーチ（５９０）にさらに連結される。当然のことながら、このタイプの連結スキームは、限定されないが、ポケット、スリーブ、ポーチを含む、様々なタイプのアクセサリー上で使用され得、それによって、モジュールシステムを形成する。
【００２３】
長手方向部材（５２０）に解放可能に連結されるバックル（５６０）がさらに例示される。バックル（５６０）と長手方向部材（５２０）との間の解放可能な連結は、バックル（５６０）のホックで留める領域（５６４）、（５６６）を、長手方向部材（５２０）の幅方向の寸法のまわりに付けることを含む。バックル（５６０）と長手方向部材（５２０）との間の連結はまた、長手方向部材（５２０）に対するアクセサリーポーチ（５９０）の並進を促進する。バックル（５６０）およびアクセサリーポーチ（５９０）が長手方向部材（５２０）に連結される具体的な方法は、解放可能な連結のための方法に関する下記に述べられた工程を含み得る。
【００２４】
次に、（６６０）で一般に明示される、代替的なバックルを例示する、図１２が参照される。例示される代替的なバックル（６６０）は、図１−４に示される長手方向部材（１２０）とともに作用するように構成され得るか又はその大きさを合わせられ得る。バックル（６６０）は、２つの直交した配向において長手方向部材（１２０）と解放可能に連結されるように構成される。例示されるバックル（６６０）は、平面（６６２）および第１、第２、第３、および第４のホックで留める領域（６６４）、（６６５）、（６６６）、（６６７）を含む、三次元の剛性構造である。第１、第２、第３、および第４のホックで留める領域（６６４）、（６６５）、（６６６）、（６６７）は、平面（６６２）から伸び、互いに反対に配向される。例示されるホックで留める領域（６６４）、（６６５）、（６６６）、（６６７）は、例示されるように平面（６６２）から直交して伸びる。第１、第２、第３、および第４のホックで留める領域（６６４）、（６６５）、（６６６）、（６６７）は、各々、Ｌ字型を形成するように２つの直交したサブ領域を含む。ホックで留める領域（６６４）、（６６６）のＬ字型のサブ領域は、他のそれぞれのホックで留める領域（６６４）、（６６５）、（６６６）、（６６７）の２つに面しているように、互いに反対に配向される。例えば、第１のホックで留める領域（６６４）のＬ字型の領域は、第２のホックで留める領域（６６５）と第３のホックで留める領域（６６６）の両方と反対に配向される。第１の間隙（６８０）は、第１および第３のホックで留める領域（６６４）、（６６６）と、第２および第４のホックで留める領域（６６５）、（６６７）の各々の端部間で形成される。第２の間隙（６８１）は、第１と第２のホックで留める領域（６６４）、（６６５）と、第３と第４のホックで留める領域（６６６）、（６６７）の各々の端部間で形成される。間隙（６８０）および（６８１）の大きさは、長手方向部材に対するバックル（６６０）の並進を促進するために、長手方向部材のベース連結部の幅に対応するように特別に合わせられる。さらに、ホックで留める領域（６６４）、（６６５）、（６６６）、（６６７）は、平面（６６２）の長手方向および幅方向の寸法内に配されるように配向される。ホックで留める領域（６６４）、（６６５）、（６６６）、（６６７）および平面（６６２）は、第１および第２の部分的に囲まれた領域（６８５）、（６８６）を定義する。部分的に囲まれた領域（６８５）、（６８６）は、上に記載されるように間隙（６８０）、（６８１）を除いて囲まれる。部分的に囲まれた領域（６８５）、（６８６）の大きさは、平行または垂直の配向のいずれかで、長手方向部材に対するバックル（６６０）の並進を促進するために、長手方向部材の幅方向の寸法およびベース隆起の寸法に対応するように特別に合わせられる。バックル（６６０）はまた、バックル（６６０）の長手方向の寸法に平行な平面（６６２）内に一連の平行な凹部（６７１）、（６７３）を含む。平行な凹部（６７１）、（６７３）の配向は、幅方向の配向においてバックル（６６０）に対するストラップの連結を促進する。あるいは、平行な凹部は、限定されないが、モジュール部材、ストラップなどを含む他のタイプの対象をバックルに連結するために使用され得る。当然のことながら、平行な凹部（６７１）、（６７３）は、異なる連結の配向を促進するために、バックル（６６０）に対して任意の方向で配向され得る。
【００２５】
上に記載されたシステムおよび構成要素は、バックルをベースに解放可能に連結するための方法と併用して使用されてもよい。当然のことながら、バックルをベースから解放可能に切り離すために、類似した工程が使用されてもよい。さらに、バックルは、１つ以上のアクセサリーに連結されてもよい。それ故、方法は、アクセサリーをバックルを介してベースに選択的に解放可能に連結するために使用されてもよい。方法は、システムにベース、長手方向部材、およびバックルを提供する工程を含む。長手方向部材は、長手方向部材の長手方向の寸法に平行であり、長手方向部材の幅方向の寸法に対して略中間にある固定された長手方向の連結部を介してベースに連結される。長手方向部材とベースとの間の連結は、Ｉ字型を形成することを含み得、ここで、Ｉ字形の領域の上部は、長手方向部材の底部を含み、Ｉ字形の領域の中央部は、長手方向部材とベースとの間の連結を含み、およびＩ字形の領域の底部は、ベースを含む。バックルは、長手方向部材の長手方向の側面に隣接して位置決めされ得る。バックルは、長手方向部材の長手方向および幅方向の寸法と合わせられる。バックルは、長手方向部材にホックで留められ、長手方向部材を実質的に包囲し、長手方向部材とベースとの間の連結に対応する間隙を形成する。長手方向部材上でバックルをホックで留めることは、長手方向部材の幅方向の寸法の各端部のまわりのバックル上に２つのホックで留める領域の各々をホックで留めることをさらに含み得る。連結された構成において、バックルは、長手方向部材の長手方向の寸法に沿って並進され得る。ストラップは、幅方向の配向に平行に配向されたバックル上の２つの平行な凹部に通され得る。
【００２６】
様々な代替的なシステム設計が、本発明に従って実行され得、それが、図１に例示されるかあるいは上に記載される実施形態の１つ以上の部分または概念を含むことを留意されたい。複数の実施形態は、より大きなモジュールシステムの一部として柔軟で優れたタイプのベースと併用して使用され得る。さらに、記載されたシステムは、限定されないが、アイテムをプラットフォームに固定することを含む、適用のための単純な解放可能なストラップ連結をもたらすために使用され得る。様々な他の実施形態は、上に記載される実施形態の全体または一部との組み合わせを含んで熟慮された。
【図１】
2014511216.tif 000003
【図２】
2014511216.tif 000004
【図３】
2014511216.tif 000005
【図４】
2014511216.tif 000006
【図５】
2014511216.tif 000007
【図６】
2014511216.tif 000008
【図７】
2014511216.tif 000009
【図８】
2014511216.tif 000010
【図９】
2014511216.tif 000011
【図１０】
2014511216.tif 000012
【図１１】
2014511216.tif 000013
【図１２】
2014511216.tif 000014
【国際調査報告】
2014511216.tif 000015
2014511216.tif 000016